(57)【要約】【課題】簡素な構成で部品点数が少なく、量産性に優れ、複雑な可動部を有していないので動作不良や破損等が発生し難く、簡単な操作で容易に着脱を行うことができ、取扱い性、耐久性に優れ、板厚の薄い鍋やフライパン等でも、かしめや溶接等に比べて確実かつ強固に保持することができ、取手のぐらつきが発生せず、固定安定性、安全性に優れる加熱調理容器の提供。【解決手段】耳部が、容器本体の外周方向に突出した支持部と、支持部の容器本体側で支持部より幅広に形成された基部と、を有し、着脱式取手が、取手本体の長手方向の一端に配設され、耳部の支持部の上面に当接する当接部と、当接部の先端側の両側部に延設され耳部の基部の底面に係合する羽根状の係止片と、を有する係合部材を備えている。【選択図】図１
2010035652.tif 000002
【特許請求の範囲】
【請求項１】
容器本体の一側部に形成又は配設された耳部に着脱自在に配設される着脱式取手を有する加熱調理容器であって、
前記耳部が、前記容器本体の外周方向に突出した支持部と、前記支持部の前記容器本体側で前記支持部より幅広に形成された基部と、を有し、前記着脱式取手が、取手本体の長手方向の一端に配設され、前記耳部の前記支持部の上面に当接する当接部と、前記当接部の先端側の両側部に延設され前記耳部の前記基部の底面に係合する羽根状の係止片と、を有する係合部材を備えたことを特徴とする加熱調理容器。
【請求項２】
前記耳部が、前記基部の底面側の少なくとも両端部に形成された凹部を有し、前記係合部材が、前記係止片の上面に突設され前記基部の前記凹部に嵌合する固定突起を有することを特徴とする請求項１に記載の加熱調理容器。
【請求項３】
前記耳部が、前記支持部に穿設された固定孔を有し、前記係合部材が、前記支持部の前記固定孔に重なる位置で前記当接部に穿設された貫通孔を有し、前記耳部と前記係合部材が、前記支持部の前記固定孔と前記当接部の前記貫通孔に挿通固定される固定部材で着脱自在に固定されることを特徴とする請求項１又は２に記載の加熱調理容器。
【請求項４】
前記耳部が、前記支持部に穿設された固定孔又は前記支持部の上面側に突出する係合突部を有し、前記係合部材が、前記支持部の前記固定孔に重なる位置で前記当接部の裏面側に突出する係合突部又は前記支持部の前記係合突部に重なる位置で前記当接部に穿設された固定孔を有することを特徴とする請求項１又は２に記載の加熱調理容器。
【請求項５】
前記係合部材が、前記取手本体に埋設された埋設部と、前記埋設部に穿設された１以上の止め孔と、を有することを特徴とする請求項１乃至４の内いずれか１項に記載の加熱調理容器。
【発明の詳細な説明】
【技術分野】
【０００１】
本発明は、鍋やフライパン等の容器本体に着脱式取手が配設された加熱調理容器に関するものである。
【背景技術】
【０００２】
鍋やフライパン等の加熱調理容器には、持ち運び等のために取手が設けられているが、寸法の異なる加熱調理容器を重ねて収納したり、料理の入った加熱調理容器を直接、レンジやオーブンで加熱或いは冷蔵庫で保管したりする際に、取手が邪魔にならないように、容器本体に対して取手を着脱自在とする構造が提案されている。
例えば（特許文献１）には、器本体の周面に横向きに張出して設けられると共に係止受け部を形成した取手取付け用の突片と、突片に着脱可能に嵌合する嵌合受け部を形成し係止受け部に係止可能なストッパーを備えた取手とからなる取手装置が開示されている。
また、（特許文献２）には、容器の側壁部に対して取り付け及び取り外し可能に構成された取手本体を有する容器の着脱式取手が開示されている。
【特許文献１】実用新案登録第３０６７８５３号公報
【特許文献２】特開２００１−１９０４３２号公報
【発明の開示】
【発明が解決しようとする課題】
【０００３】
しかしながら上記従来の技術は、以下のような課題を有していた。
（１）（特許文献１）では、孔（係止受け部）を形成した突片を容器本体側に溶接や螺子止めなどで取り付け、突片を取手の嵌合受け部に差し込み、ストッパーの係止部をばね（付勢手段）の力で孔（係止受け部）に係止して固定するので、取手のぐらつきが発生し易く、固定安定性、取扱い性に欠けるという課題を有していた。
（２）（特許文献２）では、容器本体に突起を設けることなく、直接、容器の側壁部を挟持するだけなので、取手本体を強固に固定することができず、ぐらつきが発生し易く、固定安定性、取扱い性に欠けるという課題を有していた。
また、容器本体がフッ素加工製品等の場合、側壁部を直接、挟持することにより表面を傷付け易く、使用性に欠けるという課題を有していた。
（３）（特許文献１）、（特許文献２）は、いずれも取手本体に可動部を有するため、可動部の動作不良や破損等が発生し易く、耐久性に欠けるという課題を有していた。特に、（特許文献２）では、取手本体の構造が複雑で部品点数が多く、量産性に欠けると共に、重量が増して取扱い性に欠けるという課題を有していた。
【０００４】
本発明は上記従来の課題を解決するもので、簡素な構成で部品点数が少なく、量産性に優れ、複雑な可動部を有していないので動作不良や破損等が発生し難く、簡単な操作で容易に着脱を行うことができ、取扱い性、耐久性に優れ、板厚の薄い鍋やフライパン等でも、かしめや溶接等に比べて確実かつ強固に保持することができ、取手のぐらつきが発生せず、固定安定性、安全性に優れる加熱調理容器の提供を目的とする。
【課題を解決するための手段】
【０００５】
上記従来の課題を解決するために本発明の加熱調理容器は、以下の構成を有している。
本発明の請求項１に記載の加熱調理容器は、容器本体の一側部に形成又は配設された耳部に着脱自在に配設される着脱式取手を有する加熱調理容器であって、
前記耳部が、前記容器本体の外周方向に突出した支持部と、前記支持部の前記容器本体側で前記支持部より幅広に形成された基部と、を有し、前記着脱式取手が、取手本体の長手方向の一端に配設され、前記耳部の前記支持部の上面に当接する当接部と、前記当接部の先端側の両側部に延設され前記耳部の前記基部の底面に係合する羽根状の係止片と、を有する係合部材を備えた構成を有している。
この構成により、以下のような作用が得られる。
（１）耳部が、容器本体の外周方向に突出した支持部と、支持部の容器本体側で支持部より幅広に形成された基部と、を有するので、支持部に負荷がかかっても、根元側の基部が変形することがなく、耐久性に優れる。
（２）取手本体の一端に配設される係合部材が、耳部の支持部の上面に当接する当接部と、当接部の先端側の両側部に延設され耳部の基部の底面に係合する羽根状の係止片と、を有するので、別途、固定手段で固定しなくても、てこの原理を利用して係合部材で耳部を保持して、加熱調理容器を簡便に持ち運ぶことができ、着脱式取手の着脱が容易で、使用性に優れる。
（３）耳部の支持部と係合部材の当接部が面接触すると共に、係合部材の左右の係止片が、耳部の支持部の両側で基部に係合するので、着脱式取手が水平軸周りに回転することがなく、ぐらつきが発生せず、支持安定性に優れる。
【０００６】
ここで、耳部は、容器本体と一体に成形するものが耐久性、量産性の面から好ましいが、別部材で形成したものを容器本体に螺子止めや溶接などで取付けてもよい。
着脱式取手の係合部材は、ステンレス，鉄，アルミニウム等の金属で形成される。取手本体は、合成樹脂で形成してもよいし、アルミニウム，ステンレス，チタン等の金属で形成してもよい。取手本体を合成樹脂で形成する場合は、取手本体の一端から係合部材が突出するように埋設する。また、取手本体を金属で形成する場合は、係合部材と取手本体を初めから一体に形成してもよいし、別々に形成したものを溶接や螺子止め等で固定してもよい。
係止片の形状は、板状でも、Ｌ字状でもよいが、Ｌ字状に形成した場合は、強度を向上させて変形を防止することができ、耐久性に優れる。
【０００７】
請求項２に記載の発明は、請求項１に記載の加熱調理容器であって、前記耳部が、前記基部の底面側の少なくとも両端部に形成された凹部を有し、前記係合部材が、前記係止片の上面に突設され前記基部の前記凹部に嵌合する固定突起を備えている構成を有している。
この構成により、請求項１で得られる作用に加え、以下のような作用が得られる。
（１）耳部が、基部の底面側の少なくとも両端部に形成された凹部を有し、係合部材が、係止片の上面に突設され基部の凹部に嵌合する固定突起を有することにより、耳部に対して着脱式取手を確実に位置決め固定することができ、着脱式取手の前後方向や左右方向への振れを防止できると共に、取手本体を握って加熱調理容器を傾けても、着脱式取手が耳部から抜けることがなく、固定の確実性、使用性に優れる。
【０００８】
ここで、凹部は、係合部材の固定突起に対応する位置で基部の両端部に独立して形成してもよいし、左右の固定突起に対応する位置を繋ぐように横長の凹条に形成してもよい。
固定突起は、凹部に嵌合して前後や左右への位置ずれを防止できればよく、円柱状、角柱状、半球状、山形等の様々な形状に形成することができる。
【０００９】
請求項３に記載の発明は、請求項１又は２に記載の加熱調理容器であって、前記耳部が、前記支持部に穿設された固定孔を有し、前記係合部材が、前記支持部の前記固定孔に重なる位置で前記当接部に穿設された貫通孔を有し、前記耳部と前記係合部材が、前記支持部の前記固定孔と前記当接部の前記貫通孔に挿通固定される固定部材で着脱自在に固定される構成を有している。
この構成により、請求項１又は２で得られる作用に加え、以下のような作用が得られる。
（１）耳部が、支持部に穿設された固定孔を有し、係合部材が、支持部の固定孔に重なる位置で当接部に穿設された貫通孔を有することにより、固定孔と貫通孔に固定部材を挿通固定するだけで、耳部と係合部材を強固に固定することができ、固定作業性、固定安定性に優れる。
（２）螺子等の固定部材１本で軽く止めるだけで、かしめや溶接等の固定方式以上の強度と安全性を得ることができ、固定の信頼性に優れる。
【００１０】
ここで、固定部材は、支持部の固定孔と当接部の貫通孔に着脱自在に挿通固定できるものであればよい。例えば、螺子止めによって耳部と係合部材の上下から挟むように固定するものでもよいし、耳部又は係合部材のいずれか一方側から挿通され他方側で拡開して係合固定するものでもよい。
固定孔と貫通孔の孔形状は、同一の形状であればよく、円形でも多角形でもよい。また、固定部材の挿通部を固定孔及び貫通孔と同一形状に形成すれば、挿通部を挿通することにより耳部と係合部材を位置決めすることができ、前後や左右の振れを防止できる。特に
、螺子止め式の固定部材を用いる場合、固定孔と貫通孔の孔形状及び固定部材の挿通部の形状を多角形状に形成することにより、固定部材の着脱時に空回りすることがなく、特別な工具を使わずに手作業で着脱作業を行うことができ、使用性に優れる。
尚、当接部の貫通孔の位置に、固定孔に係合する係合部等を設ければ、別途、固定部材を用いることなく、簡便にオートロックによる固定を行うことができ、取扱い性を向上させることができる。
【００１１】
請求項４に記載の発明は、請求項１又は２に記載の加熱調理容器であって、前記耳部が、前記支持部に穿設された固定孔又は前記支持部の上面側に突出する係合突部を有し、前記係合部材が、前記支持部の前記固定孔に重なる位置で前記当接部の裏面側に突出する係合突部又は前記支持部の前記係合突部に重なる位置で前記当接部に穿設された固定孔を備えている構成を有している。
この構成により、請求項１又は２で得られる作用に加え、以下のような作用が得られる。
（１）耳部が、支持部に穿設された固定孔又は支持部の上面側に突出する係合突部を有し、係合部材が、支持部の固定孔に重なる位置で当接部の裏面側に突出する係合突部又は支持部の係合突部に重なる位置で当接部に穿設された固定孔を有することにより、支持部の上面と当接部の裏面が接触するように重ねるだけで係合突部が固定孔の縁に係合し、ワンタッチで簡便に耳部と係合部材を位置決め固定することができ、着脱作業性に優れる。
【００１２】
ここで、固定孔と係合突部は互いに着脱自在に係合できるものであればよく、いずれか一方を耳部に形成し、他方を係合部材に形成すればよい。尚、固定孔は、矩形状に形成したものが好適に用いられるが、係合突部の形状に応じて、適宜、任意の形状を選択することができる。係合突部は、支持部又は当接部と一体に形成してもよいし、別部材で形成したものを配設してもよいが、固定孔の一辺の縁に係合する爪部を有するものが好適に用いられる。係合突部を支持部又は当接部と一体に形成する場合は、板バネ状に形成すれば、簡便に固定でき、操作性、量産性に優れる。係合突部を別部材で形成する場合は、係合突部自体を板バネ状に形成する以外に、回動軸で回動自在に保持してもよい。このとき、別途、板バネやねじりコイルバネ等で係合突部を付勢して爪部が固定孔の縁に係合するようにしておけば、確実かつ強固に固定できると共に、着脱作業が容易で取扱い性に優れる。
【００１３】
請求項５に記載の発明は、請求項１乃至４の内いずれか１項に記載の加熱調理容器であって、前記係合部材が、前記取手本体に埋設された埋設部と、前記埋設部に穿設された１以上の止め孔と、を備えている構成を有している。
この構成により、請求項１乃至４の内いずれか１項で得られる作用に加え、以下のような作用が得られる。
（１）取手本体に埋設される係合部材の埋設部に１以上の止め孔が穿設されていることにより、インサート成形時等に取手本体を形成する樹脂が止め孔に回り込み確実にロックすることができ、取手本体から係合部材が抜けたり、取手本体が割れたりすることがなく、耐久性、信頼性に優れる。
【００１４】
ここで、係合部材の埋設部の形状は平板状でもよいが、コ字型に形成したり、表面に凸条部などの凹凸を形成したりすることにより、樹脂との密着性が高まり、取手本体からの抜けを効果的に防止することができる。また、止め孔の形状は円形状でも多角形状でもよく、その数や配置は適宜、選択することができる。
【発明の効果】
【００１５】
以上のように、本発明の加熱調理容器によれば、以下のような有利な効果が得られる。
請求項１に記載の発明によれば、以下のような有利な効果が得られる。
（１）取手本体に配設された係合部材の当接部が、容器本体の耳部の支持部の上面に当接すると共に、係合部材の当接部の両側部に延設された係止片が、耳部の支持部の両外側で耳部の基部の底面に係合することにより、てこの原理を利用して係合部材で耳部を保持し、加熱調理容器を簡便に持ち運ぶことができ、別途、固定手段で固定する必要がなく、着脱式取手の着脱作業性に優れた加熱調理容器を提供することができる。
（２）耳部の支持部と係合部材の当接部が面接触すると共に、係合部材の左右の係止片が、耳部の支持部の両側で基部に係合するにより、着脱式取手が水平軸周りに回転することを防止でき、ぐらつきが発生せず、支持安定性に優れた加熱調理容器を提供することができる。
【００１６】
請求項２に記載の発明によれば、請求項１に記載の効果に加えて以下のような有利な効果が得られる。
（１）耳部の基部の底面側の少なくとも両端部に形成された凹部に、係合部材の係止片の上面に突設された固定突起を嵌合させることにより、耳部に対して着脱式取手を確実に位置決め固定することができ、着脱式取手の前後方向や左右方向への振れを防止できると共に、取手本体を握って加熱調理容器を傾けても、着脱式取手が耳部から抜けることがなく、固定の確実性、使用性に優れた加熱調理容器を提供することができる。
【００１７】
請求項３に記載の発明によれば、請求項１又は２に記載の効果に加えて以下のような有利な効果が得られる。
（１）耳部の支持部に穿設された固定孔と、係合部材の当接部に穿設された貫通孔を重ね合わせて固定部材を挿通固定するだけで、耳部と係合部材を強固に固定することができる固定作業性、固定安定性に優れた加熱調理容器を提供することができる。
【００１８】
請求項４に記載の発明によれば、請求項１又は２に記載の効果に加えて以下のような有利な効果が得られる。
（１）支持部の上面と当接部の裏面が接触するように重ね合わせ、耳部の支持部又は係合部材の当接部に穿設された固定孔の縁に、係合部材の当接部の裏面側又は支持部の上面側に形設された係合突部を係合させるだけで、ワンタッチで簡便に耳部と係合部材を位置決め固定することができる着脱作業性、固定安定性に優れた加熱調理容器を提供することができる。
【００１９】
請求項５に記載の発明によれば、請求項１乃至４の内いずれか１項に記載の効果に加えて以下のような有利な効果が得られる。
（１）係合部材の埋設部を樹脂に埋設して取手本体を形成する際に、埋設部に穿設された止め孔で確実に樹脂をロックすることができ、取手本体から係合部材が抜けたり、取手本体が割れたりすることがなく、耐久性、信頼性に優れた加熱調理容器を提供することができる。
【発明を実施するための最良の形態】
【００２０】
以下、本発明の実施の形態における加熱調理容器について、図面を参照しながら説明する。
（実施の形態１）
図１（ａ）は実施の形態１における加熱調理容器の斜視図であり、図１（ｂ）は実施の形態１における加熱調理容器の分解斜視図である。
図１（ａ）中、１は実施の形態１におけるフライパンや鍋等の加熱調理容器、２は加熱調理容器１の容器本体、３は容器本体２の一側部に形成された加熱調理容器１の耳部、１０は耳部３に着脱自在に配設される加熱調理容器１の着脱式取手である。
【００２１】
次に、実施の形態１における加熱調理容器の各部の詳細について説明する。
図１（ｂ）中、４は容器本体２の外周方向に突出した耳部３の支持部、４ａは支持部４に穿設された矩形状の固定孔、５は支持部４の容器本体２側で支持部４より幅広に形成された耳部３の基部、５ａは基部５の上面側に形成された耳部３の膨出部、１１は合成樹脂で形成された着脱式取手１０の取手本体、１２は取手本体１１の長手方向の一端に配設された着脱式取手１０の係合部材、１３は断面略コ字型に形成され耳部３の支持部４の上面に当接する係合部材１２の当接部、１３ａは耳部３の支持部４の固定孔４ａに重なる位置で当接部１３に穿設された係合部材１２の貫通孔、１４は当接部１３の先端側の両側部に延設され耳部３の基部５の底面に係合する係合部材１２の羽根状でＬ字状に形成された係止片、１４ａは係止片１４の上面に突設され基部５の膨出部５ａに対応してその底面側に形成される後述の凹部５ｂ（図２（ａ）参照）に嵌合する固定突起、２０は支持部４の固定孔４ａと当接部１３の貫通孔１３ａに上下から挿通され螺子止めによって固定される固定部材である。
【００２２】
次に、実施の形態１における加熱調理容器の容器本体と着脱式取手の取付け方法について説明する。
図２（ａ）は実施の形態１における加熱調理容器の容器本体への着脱式取手の取付け方法を示す要部側面図であり、図２（ｂ）は実施の形態１における加熱調理容器の容器本体に着脱式取手を取付けた状態を示す要部側面図であり、図２（ｃ）は実施の形態１における加熱調理容器の容器本体に着脱式取手を取付けた状態を示す要部平面図である。
図２（ａ）中、５ｂは耳部３の基部５の底面側に膨出部５ａに対応して形成された凹部である。
実施の形態１における加熱調理容器１の容器本体２に着脱式取手１０を取付ける際には、図２（ａ）の矢印ａに示すように、容器本体２の耳部３の斜め上方から、係止片１４で耳部３の支持部４を両側から挟むように着脱式取手１０の係合部材１２を差し入れる。
次に、係合部材１２の当接部１３の先端側を支点として、図２（ａ）の矢印ｂに示すように、着脱式取手１０を下方に回動させ、基部５の凹部５ｂに係止片１４の固定突起１４ａを嵌合させる。
最後に、図１（ｂ）で示した固定部材２０で支持部４と当接部１３を固定することにより、図２（ｂ），（ｃ）の状態となる。
【００２３】
次に、実施の形態１における加熱調理容器の容器本体と着脱式取手の固定状態について説明する。
図３は図２（ｃ）におけるＡ−Ａ線矢視断面図であり、図４は図２（ｃ）におけるＢ−Ｂ線矢視断面図である。
図４中、２１は支持部４の固定孔４ａと当接部１３の貫通孔１３ａに上方から挿通される固定部材２０の固定用雄螺子、２１ａは固定用雄螺子２１の頭部、２１ｂは頭部２１ａの下部に四角柱状に形成され支持部４の固定孔４ａ及び当接部１３の貫通孔１３ａに挿通される固定用雄螺子２１の挿通部、２１ｃは挿通部２１ｂの下部に形設された固定用雄螺子２１の雄螺子部、２２は固定用雄螺子２１の雄螺子部２１ｃに手締めで螺着されて耳部３と係合部材１２を固定する固定部材２０の固定用雌螺子、２２ａは外形が円柱状に形成された固定用雌螺子２２の手締め部、２２ｂは固定用雄螺子２１０の雄螺子部２１ｃに螺合する固定用雌螺子２２の雌螺子部、２３は固定用雄螺子２１の雄螺子部２１ｃの外周に挿通されるワッシャーである。
【００２４】
図４において、取手本体１１に配設された係合部材１２の当接部１３が、容器本体２の耳部３の支持部４の上面に当接すると共に、係合部材１２の当接部１３の両側部に延設された係止片１４が、耳部３の支持部４の両外側で耳部３の基部５の底面に係合することにより、てこの原理を利用して係合部材１２で耳部３を保持している。また、係合部材１２の左右の係止片１４が、耳部３の支持部４の根元の両側で基部５に係合すると共に、基部５の底面側に形成された凹部５ｂに、係止片１４の上面に突設された固定突起１４ａを嵌合させることにより、耳部３に対して着脱式取手１０を確実に位置決め固定し、着脱式取手１０の水平軸周りの回転及び前後方向や左右方向への振れを防止している。尚、係止片１４がＬ字状に形成されているので、外力などによって変形し難く、確実に係止片１４の上面を基部５の底面に当接させて支持することができる。
【００２５】
図３及び図４に示したように、耳部３の基部５の底面側に凹部５ｂを形成する際に、基部５の上面側を滑らかな曲面状に膨出させて膨出部５ａを形成することにより、基部５の上面に段差や隙間等が形成されることがなく、異物や汚れ等の付着や詰まり等を確実に防止することができ、メンテナンス性、清潔性に優れる。
本実施の形態では、固定突起１４ａを山形に形成したが、固定突起１４ａの形状はこれに限定されるものではなく、凹部５ｂに嵌合して前後や左右への位置ずれを防止できるものであればよい。例えば、円柱状、角柱状、半球状等の様々な形状に形成することができる。凹部５ｂの形状も固定突起１４ａの形状に合わせて選択することができるが、左右の固定突起１４ａの位置に対応させて基部５の底面側の両端部のみに形成してもよいし、左右の固定突起１４ａに対応する位置を繋ぐように横長の凹条に形成してもよい。
【００２６】
固定部材２０は必ずしも必要ないが、本実施の形態では、耳部３の支持部４に穿設された固定孔４ａと係合部材１２の当接部１３に穿設された貫通孔１３ａに固定用雄螺子２１の挿通部２１ｂを挿通し、固定用雄螺子２１の雄螺子部２１ｃと固定用雌螺子２２の雌螺子部２２ｂを螺合することにより、耳部３と係合部材１２を強固に固定した。固定用雄螺子２１の挿通部２１ｂを固定孔４ａ及び貫通孔１３ａと同一形状の角柱状に形成することにより、挿通部２１ｂを挿通するだけで耳部３と係合部材１２を位置決めすることができ、前後や左右の振れを確実に防止できる。また、固定用雄螺子２１に対して固定用雌螺子２２を着脱する際に、固定用雄螺子２１が回転することがないので、特別な工具を使わなくても、手作業で簡単に手締め部２２ａを回転させて着脱作業を行うことができ、使用性に優れる。
【００２７】
尚、固定部材２０は本実施の形態のように固定用雄螺子２１と固定用雌螺子２２を螺合して固定するものに限定されるものではなく、支持部４の固定孔４ａと当接部１３の貫通孔１３ａに挿通されて両者を固定できるものであればよい。また、別部材で形成された固定部材２０を用いる代わりに、耳部３の支持部４に固定孔４ａを穿設し、係合部材１２の当接部１３の裏面側に形設した係合突起を係合させるようにしてもよいし、逆に、耳部３の支持部４の上面側に係合突起を形設し、係合部材１２の当接部１３に穿設した固定孔に係合させるようにしてもよい。これにより、支持部４の上面と当接部１３の裏面が接触するように重ねるだけで係合突起が固定孔の縁に係合し、ワンタッチで簡便に耳部３と係合部材１２を位置決め固定することができ、着脱作業性に優れる。このときの係合突起としては、板バネ状に形成したものが好適に用いられる。尚、係合突起に、固定孔の縁に係合する爪部を設ければ、簡便かつ確実に固定でき、使用性に優れる。
【００２８】
次に、実施の形態１における加熱調理容器の着脱式取手の係止部材の詳細について説明する。
図５は実施の形態１における加熱調理容器の着脱式取手の係止部材を示す斜視図である。
図５中、１３ｂは当接部１３に延設され取手本体１１に埋設される係止部材１２の埋設部、１５ａは埋設部１３ｂの上面に円形に穿設された３つの止め孔、１５ｂは埋設部１３ｂの根元側の上面に矩形に穿設された１つの止め孔、１５ｃは埋設部１３ｂの両側面部に１つずつ穿設された円形の止め孔である。
着脱式取手１０を形成するには、取手本体１１を合成樹脂でインサート成形や超音波インサート成形等で成形する際に、係止部材１２の埋設部１３ｂを取手本体１１に埋設するが、埋設部１３ｂに複数の止め孔１５ａ〜１５ｃを設けることにより、止め孔１５ａ〜１５ｃに樹脂が流れ込み樹脂で確実にロックすることができる。この結果、取手本体１１から係合部材１２が抜けたり、取手本体１２が割れたりすることがなくなり、耐久性、量産性を向上することができた。
【００２９】
本実施の形態では、係合部材１２の埋設部１３ｂの形状を略コ字型に形成したが、埋設部１３ｂの形状はこれに限定されるものではなく、平板状に形成してもよい。尚、埋設部１３ｂの表面に凸条部などによって凹凸を形成すれば、樹脂との密着性が高まり、取手本体１１からの抜けを効果的に防止ることができる。また、止め孔１５ａ〜１５ｃの形状は円形状や矩形状に限定されるものではなく、楕円状やその他の多角形状でもよく、その数や配置は適宜、選択することができる。
尚、本実施の形態では、取手本体１１を合成樹脂で形成したが、取手本体１１をアルミニウム，ステンレス，チタン等の金属で形成してもよい。取手本体１１を金属で形成する場合は、取手本体１１と係合部材１２を初めから一体に形成してもよいし、別々に形成したものを溶接や螺子止め等で固定してもよい。
【００３０】
以上のように実施の形態１における加熱調理容器は構成されているので、以下のような作用が得られる。
（１）耳部が、容器本体の外周方向に突出した支持部と、支持部の容器本体側で支持部より幅広に形成された基部と、を有するので、支持部に負荷がかかっても、根元側の基部が変形することがなく、耐久性に優れる。
（２）取手本体の一端に配設される係合部材が、耳部の支持部の上面に当接する当接部と、当接部の先端側の両側部に延設され耳部の基部の底面に係合する羽根状の係止片と、を有するので、別途、固定手段で固定しなくても、てこの原理を利用して係合部材で耳部を保持して、加熱調理容器を簡便に持ち運ぶことができ、着脱式取手の着脱が容易で、使用性に優れる。
（３）耳部の支持部と係合部材の当接部が面接触すると共に、係合部材の左右の係止片が、耳部の支持部の両側で基部に係合するので、着脱式取手が水平軸周りに回転することがなく、ぐらつきが発生せず、支持安定性に優れる。
（４）耳部が、基部の底面側に形成された凹部を有し、係合部材が、係止片の上面に突設され基部の凹部に嵌合する固定突起を有することにより、耳部に対して着脱式取手を確実に位置決め固定することができ、着脱式取手の前後方向や左右方向への振れを防止できると共に、取手本体を握って加熱調理容器を傾けても、着脱式取手が耳部から抜けることがなく、固定の確実性、使用性に優れる。
（５）耳部が、支持部に穿設された固定孔を有し、係合部材が、支持部の固定孔に重なる位置で当接部に穿設された貫通孔を有することにより、固定孔と貫通孔に固定部材を挿通固定するだけで、耳部と係合部材を強固に固定することができ、固定作業性、固定安定性に優れる。
（６）取手本体に埋設される係合部材の埋設部に１以上の止め孔が穿設されていることにより、取手本体を形成する樹脂を止め孔で確実にロックすることができ、取手本体から係合部材が抜けたり、取手本体が割れたりすることがなく、耐久性、信頼性に優れる。
（７）着脱式取手が可動部を有していないので、構造を簡素化することができ量産性に優れると共に、動作不良や破損等が発生し難く、簡単な操作で容易に着脱を行うことができ、取扱い性、耐久性に優れる。
（８）耳部が略平板状に形成され、耳部の支持部と係合部材の当接部を面接触させると共に、係合部材の左右の係止片を、耳部の支持部の両側で基部に係合させる構造であるので、係合部材の高さを低く抑えることができ、深さの浅いフライパンや鍋等にも着脱式取手を装着することが可能で、容器本体の形状自在性に優れる。
（９）基部の底面側に凹部を形成する際に、基部の上面側を滑らかな曲面状に膨出させて膨出部を形成することにより、調理屑等が取手本体側に移動することを防止でき、衛生的で取扱い性に優れる。
（１０）着脱式取手を簡単に着脱することができるので、使用後は着脱式取手を取外して容器本体のみを収納することができ、収納場所を取らず、容量の異なるフライパンや鍋等にも同様のシステムを適用することにより、複数の容器本体に共通の着脱式取手を使用することができ、整理が容易で、取扱い性に優れる。
（１１）係止片をＬ字状に形成することにより、係止片を補強して変形を防止することができ、安全性、使用性に優れる。
【００３１】
（実施の形態２）
図６（ａ）は実施の形態２における加熱調理容器に用いる固定部材の斜視図であり、図６（ｂ）は実施の形態２における加熱調理容器の容器本体に着脱式取手を取付けた状態を示す要部断面図である。尚、実施の形態１と同様のものは、同じ符号を付して説明を省略する。
図６（ａ）中、３０はステンレスやりん青銅等の金属で形成された板バネ式の固定部材、３０ａは固定部材３０の基板部、３０ｂは基板部３０ａの両側を屈曲して形成された固定部材３０の板バネ部、３０ｃは各々の板バネ部３０ｂの先端部を内方に屈曲して形成された固定部材３０の係止部、３０ｄは各々の係止部３０ｃの端部から上方に延設された固定部材３０の挿通部、３０ｅは各々の挿通部３０ｄの先端を外方に折曲して形成された固定部材３０の操作部である。
図６（ｂ）中、１ａは固定部材３０によって容器本体２に着脱式取手１０が固定された実施の形態２における加熱調理容器である。
【００３２】
以上のように形成された実施の形態２における加熱調理容器１ａの固定部材３０による固定方法について説明する。
まず、図６（ａ）において、固定部材３０の操作部３０ｅを指で摘み、挿通部３０ｄの上端同士が近づくように板バネ部３０ｂを変形させ、当接部１３の貫通孔１３ａから固定部材３０を差し込んで指を離す。板バネ部３０ｂのバネ性により、挿通部３０ｄ同士が略平行になるように外方に拡開し、支持部４の固定孔４ａ及び当接部１３の貫通孔１３ａの内側面に当接して、図６（ｂ）に示した実施の形態２における加熱調理容器１ａが得られる。このとき、係止部３０ｃの上端部が、支持部４の固定孔４ａの裏面側の縁に係止されると共に、操作部３０ｅが当接部１３の上面で係止される。
これにより、固定部材３０は上下いずれの方向にも抜けることがない。また、固定部材３０の挿通部３０ｄの幅を支持部４の固定孔４ａ及び当接部１３の貫通孔１３ａの幅と同等に形成しておくことにより、着脱式取手１０の左右方向への振れを防止できる。
尚、固定部材３０は本実施の形態に限定されるものではなく、コイルバネやねじりコイルバネ等の付勢手段により、支持部４の固定孔４ａ及び当接部１３の貫通孔１３ａに嵌合して固定できるものであればよい。
【００３３】
以上のように、本発明の実施の形態２における加熱調理容器は構成されているので、実施の形態１で得られる作用と同様の作用が得られる。
【００３４】
（実施の形態３）
図７は実施の形態３における加熱調理容器の係合突部を示す要部斜視図である。尚、実施の形態１と同様のものは、同じ符号を付して説明を省略する。
図７中、１ｂは実施の形態３における加熱調理容器、１０ｂは実施の形態３における加熱調理容器１ｂの着脱式取手、４ｂは支持部４の固定孔４ａの取手本体１１側に固定孔４ａに連なって幅狭の矩形状に形成された係止孔部、１３ｃは当接部１３の貫通孔１３ａの取手本体１１側に貫通孔１３ａに連なって幅狭の矩形状に形成された挿通孔部、４０は係合部材１２の当接部１３の上面に配設され挿通孔部１３ｃを通って当接部１３の裏面側に突出する係合突部、４０ａは当接部１３の挿通孔部１３ｃの両側部で係合突部４０の回動軸４０ｂを回動自在に支持する軸支部、４０ｃは回動軸４０ｂから下方に垂設され挿通孔部１３ｃに挿通される係合突部４０の挿通部、４０ｄは挿通部４０ｃの下端部に係止孔部４ｂより幅広に形成された係合突部４０の係止爪、４０ｅは回動軸４０ｂの上面側から取手本体１１側に向かって傾斜状に形成された係合突部４０の延設部、４０ｆは延設部４０ｅの先端を上方に屈曲して形成された係合突部４０の操作部、４１は略く字型に形成され当接部１３の上面と係合突部４０の延設部４０ｅの背面との間に配設される板バネを用いた付勢部材である。
【００３５】
以上のように形成された実施の形態３における加熱調理容器１ｂの係合突部４０による固定方法について説明する。
図８は実施の形態３における加熱調理容器の容器本体に着脱式取手を取付けた状態を示す要部平面図であり、図９（ａ）は図７のＣ−Ｃ線矢視断面図であり、図９（ｂ）は実施の形態３における加熱調理容器の係合突部による固定を解除した状態を示す要部断面図である。
まず、着脱式取手１０ｂを容器本体２に取り付ける際には、実施の形態１の図２（ａ）の説明と同様の手順で行うことができる。このとき、係止爪４０ｄの下端部が円弧状に形成されているので、係止爪４０ｄが支持部４の固定孔４ａの縁に引っ掛かることがなく、スムーズに取り付け作業を行うことができる。
着脱式取手１０ｂを取り付けた後は、図９（ａ）に示すように、付勢部材４１により係合突部４０の延設部４０ｅが上方に付勢されることにより、係止爪４０ｄが支持部４の裏面側で固定孔４ａの縁に係止される。係止爪４０ｄが、付勢部材４１によって常に係止方向に付勢されると共に、図７に示したように、係止爪４０ｄが係止孔部４ｂより幅広に形成されているので、係止爪４０ｄが上方に抜けることがなく、固定の確実性に優れる。また、係合突部４０の挿通部４０ｃが支持部４の係止孔部４ｂ及び当接部１３の挿通孔部１３ｃとほぼ同等の幅に形成されることにより、着脱式取手１０ｂの左右方向への振れを防止でき固定安定性に優れる。
【００３６】
着脱式取手１０ｂを取り外す場合には、図９（ｂ）に示すように、係合突部４０の操作部４０ｆを取手本体１１側に倒すだけで、付勢部材４１が圧縮されて係合突部４０全体が回動し、係止爪４０ｄが支持部４の固定孔４ａの直下まで移動するので、後は着脱式取手１０ｂを上方に回動させ、耳部３から係合部材１２を引き抜くようにすればよい。
尚、係合突部４０は本実施の形態に限定されるものではなく、支持部４の固定孔４ａに係止して固定できるものであればよい。例えば、付勢部材４１として、板バネの代わりに回動軸４０ｂにねじりコイルバネを挿設する等してもよい。また、本実施の形態では、係合突部４０を当接部１３の貫通孔１３ａの取手本体１１側のみに配設したが、容器本体２側のみに配設してもよいし、貫通孔１３ａを挟んで容器本体２側と取手本体１１側の両方に配設してもよい。
【００３７】
以上のように、本発明の実施の形態３における加熱調理容器は構成されているので、実施の形態１の（１）乃至（４），（６），（８）乃至（１１）で得られる作用に加え、以下の作用が得られる。
（１）着脱式取手が複雑な可動部を有していないので、構造を簡素化することができ量産性に優れると共に、動作不良や破損等が発生し難く、簡単な操作で容易に着脱を行うことができ、取扱い性、耐久性に優れる。
（２）係合部材１２が、支持部４の固定孔４ａに重なる位置で当接部１３の裏面側に突出する係合突部４０を有することにより、支持部４の上面と当接部１３の裏面が接触するように重ねるだけで係合突部４０の係止爪４０ｄが固定孔４ａの縁に係合し、ワンタッチで簡便に耳部３と係合部材１２を位置決め固定することができ、着脱作業性に優れる。
【産業上の利用可能性】
【００３８】
本発明は、簡素な構成で部品点数が少なく、量産性に優れ、複雑な可動部を有していないので動作不良や破損等が発生し難く、簡単な操作で容易に着脱を行うことができ、取扱い性、耐久性に優れ、かしめや溶接等に比べて強固に固定することができ、取手のぐらつきが発生せず、固定安定性、安全性に優れる加熱調理容器の提供を行うことができ、鍋やフライパン等の加熱調理容器の使い勝手を向上させることができる。
【図面の簡単な説明】
【００３９】
【図１】（ａ）は実施の形態１における加熱調理容器の斜視図（ｂ）実施の形態１における加熱調理容器の分解斜視図
【図２】（ａ）実施の形態１における加熱調理容器の容器本体への着脱式取手の取付け方法を示す要部側面図（ｂ）実施の形態１における加熱調理容器の容器本体に着脱式取手を取付けた状態を示す要部側面図（ｃ）実施の形態１における加熱調理容器の容器本体に着脱式取手を取付けた状態を示す要部平面図
【図３】図２（ｃ）におけるＡ−Ａ線矢視断面図
【図４】図２（ｃ）におけるＢ−Ｂ線矢視断面図
【図５】実施の形態１における加熱調理容器の着脱式取手の係止部材を示す斜視図
【図６】（ａ）実施の形態２における加熱調理容器に用いる固定部材の斜視図（ｂ）実施の形態２における加熱調理容器の容器本体に着脱式取手を取付けた状態を示す要部断面図
【図７】実施の形態３における加熱調理容器の係合突部を示す要部斜視図
【図８】実施の形態３における加熱調理容器の容器本体に着脱式取手を取付けた状態を示す要部平面図
【図９】（ａ）図７のＣ−Ｃ線矢視断面図（ｂ）実施の形態３における加熱調理容器の係合突部による固定を解除した状態を示す要部断面図
【符号の説明】
【００４０】
１，１ａ，１ｂ  加熱調理容器
２  容器本体
３  耳部
４  支持部
４ａ  固定孔
４ｂ  係止孔部
５  基部
５ａ  膨出部
５ｂ  凹部
１０，１０ｂ  着脱式取手
１１  取手本体
１２  係合部材
１３  当接部
１３ａ  貫通孔
１３ｂ  埋設部
１３ｃ  挿通孔部
１４  係止片
１４ａ  固定突起
１５ａ，１５ｂ，１５ｃ  止め孔
２０，３０  固定部材
２１  固定用雄螺子
２１ａ  頭部
２１ｂ  挿通部
２１ｃ  雄螺子部
２２  固定用雌螺子
２２ａ  手締め部
２２ｂ  雌螺子部
２３  ワッシャー
３０ａ  基板部
３０ｂ  板バネ部
３０ｃ  係止部
３０ｄ  挿通部
３０ｅ  操作部
４０  係合突部
４０ａ  軸支部
４０ｃ  挿通部
４０ｄ  係止爪
４０ｅ  延設部
４０ｆ  操作部
４１  付勢部材
【図１】
2010035652.tif 000003
【図２】
2010035652.tif 000004
【図３】
2010035652.tif 000005
【図４】
2010035652.tif 000006
【図５】
2010035652.tif 000007
【図６】
2010035652.tif 000008
【図７】
2010035652.tif 000009
【図８】
2010035652.tif 000010
【図９】
2010035652.tif 000011